(57)【要約】【課題】  ディジタル放送において、特定のチャネルの電波を選択的に受信して音声や映像等を含む情報を取り出すディジタル放送受信装置に関し、一つのチャネルの情報を受信している最中に他のチャネルのサービス等の情報を受信することを目的とする。【解決手段】  ディジタル放送の特定のチャネルの電波を選択的に受信する第１のチューナ部1-1、受信された受信信号を復調して目的とする情報を取り出す第１の復調部1-2、および、当該情報を保持する第１の記憶部1-6を有する第１のディジタル放送受信端末1と、特定のチャネルの電波を選択的に受信する第２のチューナ部2-1、受信された受信信号を復調して目的とする情報を取り出す第２の復調部2-2、および、情報を保持する第２の記憶部2-6を有する第２のディジタル放送受信端末2とを備え、第２のディジタル放送受信端末が着脱可能に接続されるように構成される。【選択図】      図１
2005167915.tif 000002
【特許請求の範囲】
【請求項１】
ディジタル放送の特定のチャネルの電波を選択的に受信する第１のチューナ部と、該第１のチューナ部にて受信された受信信号を復調して目的とする情報を取り出すための第１の復調部と、前記情報を保持する第１の記憶部とを有する第１のディジタル放送受信端末と、
前記ディジタル放送の特定のチャネルの電波を選択的に受信する第２のチューナ部と、該第２のチューナ部にて受信された受信信号を復調して目的とする情報を取り出すための第２の復調部と、前記情報を保持する第２の記憶部とを有する第２のディジタル放送受信端末とを備え、
前記第２のディジタル放送受信端末が着脱可能に接続されるように構成されることを特徴とするディジタル放送受信装置。
【請求項２】
前記第１のディジタル放送受信端末または前記第２のディジタル放送受信端末が、前記第１のディジタル放送受信端末と前記第２のディジタル放送受信端末との接続状態を監視して検知する接続状態監視部を具備することを特徴とする請求項１記載のディジタル放送受信装置。
【請求項３】
前記第１のディジタル放送受信端末または前記第２のディジタル放送受信端末が、前記情報の相互通信を行うための受信端末インタフェースを具備することを特徴とする請求項１記載のディジタル放送受信装置。
【請求項４】
前記第２のディジタル放送受信端末が前記第１のディジタル放送受信端末に接続されている場合、前記第２のディジタル放送受信端末は、任意のチャネルのサービスに関する情報を順次検索し、前記第１のディジタル放送受信端末は、前記第２のディジタル放送受信端末による検索の結果として取得されたサービスに関する情報を前記第１の記憶部にプリセットし、前記第１のディジタル放送受信端末での現在のチャネルを変更する際に、前記サービスに関する情報を前記第１の記憶部から読み出すことを特徴とする請求項１記載のディジタル放送受信装置。
【請求項５】
前記第２のディジタル放送受信端末が前記第１のディジタル放送受信端末に接続されている場合、前記第２のディジタル放送受信端末は、任意のチャネルの電子番組ガイドに関する情報を順次検索し、前記第１のディジタル放送受信端末は、前記第２のディジタル放送受信端末による検索の結果として取得された電子番組ガイドに関する情報を前記第１の記憶部に格納することを特徴とする請求項１記載のディジタル放送受信装置。
【請求項６】
前記第２のディジタル放送受信端末が前記第１のディジタル放送受信端末に接続されている場合、前記第２のディジタル放送受信端末は、任意のチャネルの緊急警報を監視し、前記第１のディジタル放送受信端末は、前記第２のディジタル放送受信端末による監視の結果として取得された緊急警報を選択し、前記第１のディジタル放送受信端末での現在のチャネルを前記緊急警報の緊急サービスに切り替えることを特徴とする請求項１記載のディジタル放送受信装置。
【請求項７】
前記第２のディジタル放送受信端末が前記第１のディジタル放送受信端末に接続されている場合、前記第２のディジタル放送受信端末にて受信されたチャネルの情報を前記第１のディジタル放送受信端末に切り替えて表示するようにし、または、前記第１のディジタル放送受信端末にて受信されたチャネルの情報を前記第２のディジタル放送受信端末に切り替えて表示するようにしたことを特徴とする請求項１記載のディジタル放送受信装置。
【請求項８】
前記第２のディジタル放送受信端末が前記第１のディジタル放送受信端末に接続されている場合、前記第１のディジタル放送受信端末によるチャネルの受信中に当該チャネルの受信が困難であると判断されたときに、前記第２のディジタル放送受信端末での強階層の受信サービス方式に切り替えて当該チャネルを受信し、前記第２のディジタル放送受信端末にて受信され復調された当該チャネルの音声および映像の少なくとも一方に関する情報を、前記第１のディジタル放送受信端末から途切れなく出力することを特徴とする請求項１記載のディジタル放送受信装置。
【請求項９】
前記第２のディジタル放送受信端末が前記第１のディジタル放送受信端末に接続されている場合、前記第２のディジタル放送受信端末にて受信されたチャネルの情報を前記第１のディジタル放送受信端末にて同時に表示するようにし、または、前記第１のディジタル放送受信端末にて受信されたチャネルの情報を前記第２のディジタル放送受信端末にて同時に表示するようにしたことを特徴とする請求項１記載のディジタル放送受信装置。
【請求項１０】
前記第２のディジタル放送受信端末が前記第１のディジタル放送受信端末に接続されている場合、前記第１のディジタル放送受信端末にて作成された番組予約に関する情報を前記第２のディジタル放送受信端末で利用することが可能であり、または、前記第２のディジタル放送受信端末にて作成された番組予約に関する情報を前記第１のディジタル放送受信端末で利用することが可能であることを特徴とする請求項１記載のディジタル放送受信装置。
【請求項１１】
前記第１のディジタル放送受信端末が、ホーム用ディジタル放送受信端末または車載用ディジタル放送受信端末であり、前記第２のディジタル放送受信端末が携帯用ディジタル放送受信端末であることを特徴とする請求項１から１０のいずれか一項に記載のディジタル放送受信装置。
【発明の詳細な説明】
【技術分野】
【０００１】
本発明は、直交周波数分割多重（通常、ＯＦＤＭ（orthogonal frequency division multiplex ）方式等を使用した地上波ディジタル放送または衛星波ディジタル放送等のディジタル放送において、特定のチャネルの電波を選択的に受信して目的とする音声や映像等を含む情報（データ）を取り出すためのディジタル放送受信装置に関する。
【０００２】
近年の無線伝送技術の分野においては、周波数帯域の利用効率を高くして多数の情報を効率良く伝送するために、これらの情報に対応させて複数のキャリア（搬送波）の振幅および位相を変調して得られる複数の直交変調信号を一度に送信することができるようなＯＦＤＭ方式の情報伝送が一般に行われている。このようなＯＦＤＭ方式の情報伝送では、マルチパスやフェージング等の影響を最小限に抑えた高画質かつ広帯域の情報を効率良く伝送することができる。
【０００３】
特に、本発明は、ＯＦＤＭ方式等を使用した地上波ディジタル放送または衛星波ディジタル放送等のディジタル放送を受信する場合に、単一のディジタル放送受信機による１復調回路構成では実現することが困難な受信サービス方式を提供するための一手法について言及するものである。
【背景技術】
【０００４】
一般に、ＯＦＤＭ方式等を使用した地上波ディジタル放送等において特定のチャネルの情報を取得したい場合、ユーザは、一般の家庭で使用されるホーム用ディジタル放送受信機または移動体内で使用される車載用ディジタル放送受信機を用いて、チューナにより特定のチャネルの電波（直交変調信号）を選択的に受信し、チューナからの受信信号を復調回路により復調して当該チャネルの音声や映像等を含む情報を取り出している。
【０００５】
より詳しく説明すると、上記のようなディジタル放送受信機において、チューナは、アンテナを通して受信された地上波ディジタル放送等の複数のチャネルの中から特定のチャネルの電波を選択的に取り出すチャネル選局処理部と、当該チャネルの電波をディジタル形式の中間周波信号に変換するための周波数変換部とを含む。また一方で、復調回路は、チューナから出力されたディジタル形式の中間周波信号を高速フーリエ変換（fast Fourier transform：通常、ＦＦＴと略記される）処理等により復調して音声信号や映像信号等を含む復調信号を生成する機能を有する。
【０００６】
さらに、復調回路から出力された復調信号は、ＴＳ（transport stream：トランスポート・ストリーム）デコーダに入力され、ＭＰＥＧ（moving picture coding experts group ：通信、放送および蓄積の３分野に汎用的に適用可能な動画像符号化形式）システム規格のＴＳパケットの形式でデータストリームが生成される。さらに、このデータストリームの誤り訂正処理等を行った後に、音声デコーダおよび映像デコーダによって、目的とする音声および映像を含む情報が取り出される。
【０００７】
しかしながら、上記のようなホーム用／車載用ディジタル放送受信機等からなるディジタル放送受信装置は、単一のチューナおよび復調回路により構成されているので、一つのチャネルの情報を受信している最中は当該チャネル内に存在するサービス等の情報しか取得することができなかった。換言すれば、一般のディジタル放送受信装置では、一つのチャネルの情報を受信している最中に他のチャネルのサービス等の情報を受信することは技術的に困難であるという問題が生じてきた。
【０００８】
ここで、参考のため、地上波ディジタル放送等を受信するためのディジタル放送受信装置に関連した技術内容が記載された３つの特許文献（特許文献１〜３）を呈示する。
【０００９】
特許文献１（特開２００２−３６９０９９号公報）では、携帯受信機あるいは車載用受信機がダウンロードを実行することができるシステムが開示されている。特許文献２（特開２００２−３５３９１５号公報）では、視聴したい番組を自機以外の地上波ディジタル放送受信装置にて受信させることができるようにした携帯情報端末が開示されている。特許文献３（特開２００２−１２５１８１号公報）では、外出先から携帯電話を利用して自宅のディジタル放送受信装置を制御することができるようなディジタル放送システムが開示されている。これらの特許文献１〜３の開示内容から明らかなように、上記特許文献のいずれにおいても、前述のような一般のディジタル放送受信装置と同様の問題が生ずる。
【００１０】
【特許文献１】特開２００２−３６９０９９号公報
【特許文献２】特開２００２−３５３９１５号公報
【特許文献３】特開２００２−１２５１８１号公報
【発明の開示】
【発明が解決しようとする課題】
【００１１】
本発明は上記問題点に鑑みてなされたものであり、地上波ディジタル放送または衛星波ディジタル放送等のディジタル放送において、一つのチャネルの情報を受信している最中に他のチャネルのサービス等の情報を受信することが可能なディジタル放送受信装置を提供することを目的とするものである。
【課題を解決するための手段】
【００１２】
上記問題点を解決するために、本発明のディジタル放送受信装置は、ディジタル放送の特定のチャネルの電波を選択的に受信する第１のチューナ部、この第１のチューナ部にて受信された受信信号を復調して目的とする情報（データ）を取り出すための第１の復調部、および、上記情報を保持する第１の記憶部（メモリ）を有する第１のディジタル放送受信端末と、上記地上波ディジタル放送の特定のチャネルの電波を選択的に受信する第２のチューナ部、この第２のチューナ部にて受信された受信信号を復調して目的とする情報を取り出すための第２の復調部、および、上記情報を保持する第２の記憶部を有する第２のディジタル放送受信端末とを備え、上記第２のディジタル放送受信端末が着脱可能に接続されるように構成される。
【００１３】
ここで、上記第２のディジタル放送受信端末が着脱可能に接続される形態として、次の２つの形態が考えられる。
【００１４】
第１番目は、第２のディジタル放送受信端末が、第１のディジタル放送受信端末に対し従属関係で接続される形態であり、第２番目は、第１のディジタル放送受信端末と第１のディジタル放送受信端末とが、並列関係で接続される形態である。
【００１５】
好ましくは、本発明のディジタル放送受信装置において、上記第１のディジタル放送受信端末または上記第２のディジタル放送受信端末は、上記第１のディジタル放送受信端末と上記第２のディジタル放送受信端末との接続状態を監視して検知する接続状態監視部を具備する。
【００１６】
さらに、好ましくは、本発明のディジタル放送受信装置において、上記第１のディジタル放送受信端末または上記第２のディジタル放送受信端末は、上記情報の相互通信を行うための受信端末インタフェースを具備する。
【００１７】
さらに、好ましくは、上記第２のディジタル放送受信端末が上記第１のディジタル放送受信端末に接続されている場合、上記第２のディジタル放送受信端末は、任意のチャネルのサービスに関する情報を順次検索し、上記第１のディジタル放送受信端末は、上記第２のディジタル放送受信端末による検索の結果として取得されたサービスに関する情報を上記第１の記憶部にプリセットし、上記第１のディジタル放送受信端末での現在のチャネルを変更する際に、上記サービスに関する情報を上記第１の記憶部から読み出すようにしている。
【００１８】
さらに、好ましくは、上記第２のディジタル放送受信端末が上記第１のディジタル放送受信端末に接続されている場合、上記第２のディジタル放送受信端末は、任意のチャネルの電子番組ガイド（electronic program guide：通常、ＥＰＧと略記される）に関する情報を順次検索し、上記第１のディジタル放送受信端末は、上記第２のディジタル放送受信端末による検索の結果として取得された電子番組ガイドに関する情報を上記第１の記憶部に格納するようにしている。
【００１９】
さらに、好ましくは、上記第２のディジタル放送受信端末が上記第１のディジタル放送受信端末に接続されている場合、上記第２のディジタル放送受信端末は、任意のチャネルの緊急警報を監視し、上記第１のディジタル放送受信端末は、上記第２のディジタル放送受信端末による監視の結果として取得された緊急警報を選択し、上記第１のディジタル放送受信端末での現在のチャネルを上記緊急警報の緊急サービスに切り替えるようにしている。
【００２０】
さらに、好ましくは、上記第２のディジタル放送受信端末が上記第１のディジタル放送受信端末に接続されている場合、上記第１のディジタル放送受信端末または上記第２のディジタル放送受信端末のいずれか一方で受信されたチャネルの情報を他方のディジタル放送受信端末に切り替えて表示するようにしている。
【００２１】
さらに、好ましくは、上記第２のディジタル放送受信端末が上記第１のディジタル放送受信端末に接続されている場合、上記第１のディジタル放送受信端末によるチャネルの受信中に当該チャネルの受信が困難であると判断されたときに、上記第２のディジタル放送受信端末での強階層の受信サービス方式に切り替えて当該チャネルを受信し、上記第２のディジタル放送受信端末にて受信され復調された当該チャネルの音声および映像の少なくとも一方に関する情報を、上記第１のディジタル放送受信端末から途切れなく出力するようにしている。
【００２２】
さらに、好ましくは、上記第２のディジタル放送受信端末が上記第１のディジタル放送受信端末に接続されている場合、上記第２のディジタル放送受信端末にて受信されたチャネルの情報を上記第１のディジタル放送受信端末にて同時に表示するようにし、または、上記第１のディジタル放送受信端末にて受信されたチャネルの情報を上記第２のディジタル放送受信端末にて同時に表示するようにしている。
【００２３】
さらに、好ましくは、上記第２のディジタル放送受信端末が上記第１のディジタル放送受信端末に接続されている場合、上記第１のディジタル放送受信端末または上記第２のディジタル放送受信端末のいずれか一方で作成された番組予約に関する情報を他方のディジタル放送受信端末で相互に利用することが可能である。
【００２４】
さらに、好ましくは、上記第１のディジタル放送受信端末は、ホーム用ディジタル放送受信端末または車載用ディジタル放送受信端末であり、上記第２のディジタル放送受信端末が携帯用ディジタル放送受信端末である。
【発明の効果】
【００２５】
要約すれば、本発明では、携帯用ディジタル放送受信端末等の第２のディジタル放送受信端末を着脱可能に接続することによって２復調回路構成を実現することができるので、一つのチャネルの情報を受信している最中に他のチャネルのサービス等の情報を受信することが可能になる。これによって、１復調回路構成では実現することが困難な受信サービス方式を実現することが可能になる。
【００２６】
さらに、本発明では、２復調回路構成を実現することによって、一つのチャネルで通常のサービスに関する情報を取得しながら、バックグランドで他の任意のチャネルの情報を検索して取得することが可能になる。
【００２７】
さらに、本発明では、携帯用ディジタル放送受信端末等で受信されたチャネルの情報をホーム用／車載用ディジタル放送受信端末等に切り替えて表示することができるので、受信チャネルの情報の大画面表示が可能になる。
【００２８】
さらに、本発明では、ホーム用／車載用ディジタル放送受信端末等によるチャネルの受信中に当該チャネルの受信が困難になったときに、携帯用ディジタル放送受信端末等の強階層の受信サービス方式に切り替えて当該チャネルを受信することができるので、最初にホーム用／車載用ディジタル放送受信端末等にて受信されたチャネルの情報をシームレス方式で切り替えて途切れなく出力することが可能になる。
【００２９】
さらに、本発明では、ホーム用／車載用ディジタル放送受信端末または携帯用ディジタル放送受信端末のいずれか一方で受信されたチャネルの情報を他方のディジタル放送受信端末で同時に表示することができるので、一つのチャネルの情報のサービスを受けると同時に、他の任意のチャネルのサービスに関する情報をディスプレイ等で見ることが可能になる。
【００３０】
さらに、本発明では、ホーム用／車載用ディジタル放送受信端末または携帯用ディジタル放送受信端末のいずれか一方で作成された番組予約に関する情報を他方のディジタル放送受信端末に転送することによって、番組予約に関する情報を相互に交換することが容易に実現される。
【発明を実施するための最良の形態】
【００３１】
以下、添付図面（図１〜図１１）を参照しながら、本発明の好ましい実施の形態を説明する。
【００３２】
図１は、本発明の基本的な実施例の構成を示すブロック図である。ただし、ここでは、第２のディジタル放送受信端末２が、第１のディジタル放送受信端末１に対し従属関係で着脱可能に接続された状態で、ＯＦＤＭ方式を使用した地上波ディジタル放送を受信することができるようなディジタル放送受信装置１０の構成を簡略化して示す。なお、これ以降、前述した構成要素と同様のものについては、同一の参照番号を付して表すこととする。
【００３３】
図１の実施例に係るディジタル放送受信装置１０においては、仕様や用途等が異なる２種のディジタル放送受信端末（例えば、第１のディジタル放送受信端末１および第２のディジタル放送受信端末２）を着脱可能に接続することによって２復調回路構成を実現するようにしている。好ましくは、第１のディジタル放送受信端末は、据え置き機器として使用されるホーム用／車載用ディジタル放送受信端末等により構成され、第２のディジタル放送受信端末は、携帯用移動通信機器として使用される携帯用ディジタル放送受信端末等により構成される。
【００３４】
図１の実施例の第１のディジタル放送受信端末１においては、放送局から送信される地上波ディジタル放送の電波（直交変調信号）を、第１のアンテナＡ−１を通して選択的に受信する第１のチューナ部１−１が設けられている。この第１のチューナ部１−１により受信された受信信号Ｓｒ１は、通常の復調回路による復調処理が困難な高周波信号であるため、上記復調処理が容易に行えるような中間周波信号に変換する必要がある。
【００３５】
より詳しく説明すると、第１のチューナ部１−１は、第１のアンテナＡ−１を通して受信された地上波ディジタル放送の複数のチャネルの中から特定のチャネルの電波を選択的に取り出すチャネル選局処理部と、当該チャネルの電波を中間周波信号に変換するための周波数変換部とを含む。
【００３６】
さらに、図１の第１のディジタル放送受信端末１においては、第１のチューナ部１−１にて受信された受信信号Ｓｒ１を復調して目的とする情報を取り出すための復調回路からなる第１の復調部１−２が設けられている。この第１の復調部１−２は、第１のチューナ部１−１から出力されたディジタル形式の中間周波信号をＦＦＴ処理等により復調して音声信号や映像信号等を含む復調信号Ｓｄ１を生成する機能を有する。
【００３７】
さらに、図１の第１のディジタル放送受信端末１においては、第１の復調部１−２にて生成された復調信号Ｓｄ１のデコード処理を行う第１のＴＳデコーダ１−３が設けられている。この第１のＴＳデコーダ１−３に入力された復調信号Ｓｄ１は、デコード処理がなされた後に、ＭＰＥＧシステム規格のＴＳパケットの形式でデータストリームとして出力される。上記の復調信号Ｓｄ１には、ＯＦＤＭ方式の直交変調信号の伝送パラメータを示す制御信号であるＴＭＣＣ（transmission and multiplexing configuration control ）が含まれている。第１のＴＳデコーダ１−３によりＴＭＣＣを復号することによって、データストリームの誤り訂正処理等が行われる。
【００３８】
この第１のＴＳデコーダ１−３から出力されたデータストリームは、音声用のデータストリームＳａ１および映像用のデータストリームＳｖ１を含む。これらの音声用のデータストリームＳａ１および映像用のデータストリームＳｖ１は、それぞれ、第１の音声デコーダ１−４および第１の映像デコーダ１−５によりデコード処理が行われ、目的とする音声Ａｄ１および映像Ｖｄ１を含む情報が取り出される。音声Ａｄ１は、最終的に、スピーカ等の第１の音声出力部１−９から出力される。また一方で、映像Ｖｄ１は、最終的に、ディスプレイ等の第１の表示部１−１０の画面上に表示される。
【００３９】
さらに、図１の第１のディジタル放送受信端末１においては、上記の第１のチューナ部１−１、第１の復調部１−２、第１のＴＳデコーダ１−３、第１の音声デコーダ１−４および第１の映像デコーダ１−５等の各部の動作を統括的に制御する第１の制御部１−７が設けられている。この第１の制御部１−７は、第１のバスラインＢ−１を介して第１のチューナ部１−１、第１の復調部１−２、第１のＴＳデコーダ１−３、第１の音声デコーダ１−４および第１の映像デコーダ１−５等に接続されており、制御信号Ｓｔ１を上記各構成要素に送出することによって上記各構成要素の動作を制御する。好ましくは、第１の制御部１−７は、マイクロプロセッサのＣＰＵ（central processing unit：中央演算処理装置）により構成される。
【００４０】
さらに、図１の第１のディジタル放送受信端末１においては、地上波ディジタル放送の特定のチャネルを選択する際に必要なデータ、または関連するデータを入力する第１の入力部１−８と、この第１の入力部１−８から入力されたデータや受信したチャネル内の各種の情報等を保持する第１の記憶部１−６とが設けられている。好ましくは、上記第１の入力部１−８は、リモートコントローラやキーボードやマウス等の入力手段を含み、ユーザが上記の入力手段を操作することによって各種のデータが入力される。さらに、好ましくは、第１の記憶部１−６は、ＲＡＭ（random access memory：ランダムアクセスメモリ）やＲＯＭ（read only memory：リードオンリメモリ）等のメモリにより構成される。
【００４１】
また一方で、図１の実施例の第２のディジタル放送受信端末２は、前述の第１のディジタル放送受信端末１とほぼ同様の構成を有している。
【００４２】
より詳しく説明すると、図１の第２のディジタル放送受信端末２においては、放送局から送信される地上波ディジタル放送の電波を、第２のアンテナＡ−２を通して選択的に受信する第２のチューナ部２−１が設けられている。この第２のチューナ部２−１は、第２のアンテナＡ−２を通して受信された地上波ディジタル放送の複数のチャネルの中から特定のチャネルの電波を選択的に取り出すチャネル選局処理部と、当該チャネルの電波を中間周波信号に変換するための周波数変換部とを含む。
【００４３】
さらに、図１の第２のディジタル放送受信端末２においては、第２のチューナ部２−１にて受信された受信信号Ｓｒ２を復調して目的とする情報を取り出すための復調回路からなる第２の復調部２−２が設けられている。この第２の復調部２−２は、第２のチューナ部２−１から出力されたディジタル形式の中間周波信号をＦＦＴ処理等により復調して音声信号や映像信号等を含む復調信号Ｓｄ２を生成する機能を有する。
【００４４】
さらに、図１の第２のディジタル放送受信端末２においては、第２の復調部２−２にて生成された復調信号Ｓｄ２のデコード処理を行う第２のＴＳデコーダ２−３が設けられている。この第２のＴＳデコーダ２−３に入力された復調信号Ｓｄ２は、デコード処理がなされた後に、ＭＰＥＧシステム規格のＴＳパケットの形式でデータストリームとして出力される。上記の復調信号Ｓｄ２には、ＯＦＤＭ方式の直交変調信号の伝送パラメータを示す制御信号であるＴＭＣＣが含まれている。第２のＴＳデコーダ２−３によりＴＭＣＣを復号することによって、データストリームの誤り訂正処理等が行われる。
【００４５】
この第２のＴＳデコーダ２−３から出力されたデータストリームは、音声用のデータストリームＳａ２および映像用のデータストリームＳｖ２を含む。これらの音声用のデータストリームＳａ２および映像用のデータストリームＳｖ２は、それぞれ、第２の音声デコーダ２−４および第２の映像デコーダ２−５によりデコード処理が行われ、目的とする音声Ａｄ２および映像Ｖｄ２を含む情報が取り出される。音声Ａｄ２は、最終的に、スピーカ等の第２の音声出力部２−９から出力される。また一方で、映像Ｖｄ２は、最終的に、ディスプレイ等の第２の表示部２−１０の画面上に表示される。
【００４６】
さらに、図１の第２のディジタル放送受信端末２においては、上記の第２のチューナ部２−１、第２の復調部２−２、第２のＴＳデコーダ２−３、第２の音声デコーダ２−４および第２の映像デコーダ２−５等の各構成要素の動作を統括的に制御する第２の制御部２−７が設けられている。この第２の制御部２−７は、第２のバスラインＢ−２を介して第２のチューナ部２−１、第２の復調部２−２、第２のＴＳデコーダ２−３、第２の音声デコーダ２−４および第２の映像デコーダ２−５等に接続されており、制御信号Ｓｔ２を上記各構成要素に送出することによって上記各構成要素の動作を制御する。好ましくは、第２の制御部２−７は、マイクロプロセッサのＣＰＵにより構成される。
【００４７】
さらに、図１の第２のディジタル放送受信端末２においては、地上波ディジタル放送の特定のチャネルを選択する際に必要なデータ、または関連するデータを入力する第２の入力部２−８と、この第２の入力部２−８から入力されたデータや受信したチャネル内の各種の情報等を保持する第２の記憶部２−６とが設けられている。好ましくは、上記第２の入力部２−８は、操作スイッチ等の入力手段を含み、ユーザが操作スイッチ等を操作することによって各種のデータが入力される。さらに、好ましくは、第２の記憶部２−６は、ＲＡＭやＲＯＭ等のメモリにより構成される。
【００４８】
さらに、図１の実施例においては、第１のディジタル放送受信端末１に設けられた受信端末インタフェース４を介して、第１のディジタル放送受信端末１と第２のディジタル放送受信端末２とが着脱可能に接続されている。この受信端末インタフェース４は、第１のディジタル放送受信端末１と第２のディジタル放送受信端末２との間で、音声信号や映像信号や関連データ等を含む各種の信号Ｓｃを交換することによって相互通信を可能にする機能を有する。
【００４９】
さらに、図１の実施例においては、第１のディジタル放送受信端末１と第２のディジタル放送受信端末２との接続状態を監視する接続状態監視部３が、第１のディジタル放送受信端末１に設けられている。より具体的には、接続状態監視部３は、第１のディジタル放送受信端末１と第２のディジタル放送受信端末２とを接続するための複数の接続端子の中で、電源等に接続されている特定の接続端子の電圧レベルを監視することによって、上記２種のディジタル放送受信端末が実際に接続されているか否かを検知する。この接続状態監視部３による検知結果は、第１のバスラインＢ−１を介して第１の制御部１−７に通知される。
【００５０】
なお、図１の実施例においては、受信端末インタフェース４および接続状態監視部３を第１のディジタル放送受信端末内に設けた例を示しているが、受信端末インタフェース４および接続状態監視部３を第２のディジタル放送受信端末内に設けた場合でも、同様の機能が実現されることはいうまでもない。
【００５１】
図１の実施例によれば、第１のディジタル放送受信端末と第２のディジタル放送受信端末とを着脱可能に接続することによって２復調回路構成を実現することができるので、一つのチャネルの情報を受信している最中に他のチャネルのサービス等の情報を受信することが可能になる。さらに、上記の２復調回路構成を実現することによって、一つのチャネルで通常のサービスに関する情報を取得しながら、バックグランドで他の任意のチャネルの情報を検索して取得することが可能になる。
【００５２】
さらに、図１の実施例によれば、第１のディジタル放送受信端末または第２のディジタル放送受信端末のいずれか一方で受信されたチャネルのサービス等に関する情報を、受信端末インタフェースを介して他方のディジタル放送受信端末に転送することにより、当該チャネルのサービス等に関する情報を相互に交換することが可能になる。
【００５３】
なお、図１の実施例では、第１および第２のディジタル放送受信端末等の２種のディジタル放送受信端末を用いて２復調回路構成（２ブランチ復調方式）を実現しているが、３種以上のディジタル放送受信端末を用いて３復調回路以上の複数の復調回路構成（３ブランチ以上の復調方式）を実現することも可能である。この場合でも、前述の図１の実施例の場合と同様の効果が得られることはいうまでもない。
【００５４】
図２は、本発明の第１の具体的な実施例の構成を示すブロック図である。ここでは、第１のディジタル放送受信端末は、据え置き機器として使用される１３セグメント方式のメイン側ディジタル放送受信端末（例えば、ホーム用／車載用ディジタル放送受信端末）５により構成され、第２のディジタル放送受信端末は、携帯用移動通信機器として使用される１または３セグメント方式の携帯用ディジタル放送受信端末６により構成される。
【００５５】
図２の第１の具体的な実施例においては、メイン側ディジタル放送受信端末５と携帯用ディジタル放送受信端末６とが着脱可能に接続された状態で、ＯＦＤＭ方式を使用した地上波ディジタル放送を受信することができるようなディジタル放送受信装置５０の構成を簡略化して示す。
【００５６】
ここで、「セグメント」とは、ＯＦＤＭ方式の直交変調信号に使用される複数のキャリアを区分した単位を指していう。例えば、複数のキャリアを１３のセグメントに区分した場合、メイン側ディジタル放送受信端末５では、データ処理能力やメモリ容量等が比較的大きいので、１３セグメントのキャリアを全て取り込むことができる。さらに、このメイン側ディジタル放送受信端末５では、１６Ｍｂ／ｓｅｃ（メガビット／秒）前後の高ビット転送速度で高画質動画像符号化の標準であるＭＰＥＧ−２システム規格（標準精細度のＳＤ（standard definition ）仕様および高精細度のＨＤ（high definition ）仕様を含む）に基づいて送信されたデータを受信することができるようになっている。
【００５７】
これに対し、携帯用ディジタル放送受信端末６では、データ処理能力やメモリ容量等の制限により、１３セグメント中の１セグメントまたは３セグメントのみを取り込むようにしている。さらに、この携帯用ディジタル放送受信端末６では、数ｋｂ／ｓｅｃ（キロビット／秒）前後の低ビット転送速度で簡易動画像符号化の標準であるＭＰＥＧ−４システム規格に基づいて送信されたデータを受信することができるようになっている。このＭＰＥＧ−４システムは、主として移動通信に使用されるものであり、ＭＰＥＧ−２システム規格よりも外部からのノイズに強い規格になっている。携帯用ディジタル放送受信端末では、ＭＰＥＧ−４システム規格に基づいてノイズに強い強階層の受信サービス方式を利用することができる。
【００５８】
図２の実施例のメイン側ディジタル放送受信端末５においては、放送局から送信される地上波ディジタル放送の電波を、メイン側アンテナＡ−５を通して選択的に受信するメイン側チューナ部５−１が設けられている。このメイン側チューナ部５−１は、メイン側アンテナＡ−５を通して受信された地上波ディジタル放送の複数のチャネルの中から特定のチャネルの電波を選択的に取り出すチャネル選局処理部と、当該チャネルの電波を中間周波信号に変換するための周波数変換部とを含む。
【００５９】
さらに、図２のメイン側ディジタル放送受信端末５においては、メイン側チューナ部５−１にて受信された受信信号Ｓｒｍを復調して目的とする情報を取り出すための復調回路からなるメイン側復調部５−２が設けられている。このメイン側復調部５−２は、メイン側チューナ部５−１から出力されたディジタル形式の中間周波信号をＦＦＴ処理等により復調して音声信号や映像信号等を含む復調信号Ｓｄｍを生成する機能を有する。
【００６０】
さらに、図２のメイン側ディジタル放送受信端末５においては、メイン側復調部５−２にて生成された復調信号Ｓｄｍのデコード処理を行うメイン側ＴＳデコーダ５−３が設けられている。このメイン側ＴＳデコーダ５−３に入力された復調信号Ｓｄｍは、デコード処理がなされた後に、ＭＰＥＧ−２システム規格のＴＳパケットの形式でデータストリームとして出力される。上記の復調信号Ｓｄｍには、ＯＦＤＭ方式の直交変調信号の伝送パラメータを示す制御信号であるＴＭＣＣが含まれている。メイン側ＴＳデコーダ５−３によりＴＭＣＣを復号することによって、データストリームの誤り訂正処理等が行われる。
【００６１】
このメイン側ＴＳデコーダ５−３から出力されたデータストリームは、音声用のデータストリームＳａｍおよび映像用のデータストリームＳｖｍを含む。これらの音声用のデータストリームＳａｍおよび映像用のデータストリームＳｖｍは、それぞれ、メイン側音声デコーダ５−４およびメイン側映像デコーダ５−５によりデコード処理が行われ、目的とする音声Ａｄｍおよび映像Ｖｄｍを含む情報が取り出される。音声Ａｄｍは、最終的に、メイン側スピーカ５−９から出力される。また一方で、映像Ｖｄｍは、最終的に、メイン側ディスプレイ５−１０の画面上に表示される。
【００６２】
さらに、図２のメイン側ディジタル放送受信端末５においては、上記のメイン側チューナ部５−１、メイン側復調部５−２、メイン側ＴＳデコーダ５−３、メイン側音声デコーダ５−４およびメイン側映像デコーダ５−５等の各部の動作を統括的に制御するメイン側ＣＰＵ５−７が設けられている。このメイン側ＣＰＵ５−７は、メイン側バスラインＢ−５を介してメイン側チューナ部５−１、メイン側復調部５−２、メイン側ＴＳデコーダ５−３、メイン側音声デコーダ５−４およびメイン側映像デコーダ５−５等に接続されており、制御信号Ｓｔｍを上記各構成要素に送出することによって上記各構成要素の動作を制御する。
【００６３】
さらに、図２のメイン側ディジタル放送受信端末５においては、地上波ディジタル放送の特定のチャネルを選択する際に必要なデータ、または関連するデータを入力するためのリモートコントローラ５−８ａが設けられている。ユーザがリモートコントローラ５−８ａを操作することによって入力されたデータは、Ｉ／Ｏポート５−８ｂを介してメイン側ＣＰＵ５−７に転送される。
【００６４】
さらに、図２のメイン側ディジタル放送受信端末５においては、リモートコントローラ５−８ａから入力されたデータや受信したチャネル内の各種の情報等を格納するためのメモリであるＲＡＭ５−６ａおよびＲＯＭ５−６ｂが設けられている。なお、上記のメモリとして、メイン側ＣＰＵ５−７に内蔵のＲＡＭやＲＯＭ等を利用することもできる。
【００６５】
また一方で、図２の実施例の携帯用ディジタル放送受信端末６は、前述のメイン側ディジタル放送受信端末５とほぼ同様の構成を有している。
【００６６】
より詳しく説明すると、図２の携帯用ディジタル放送受信端末６においては、放送局から送信される地上波ディジタル放送の電波を、携帯用アンテナＡ−６を通して選択的に受信する携帯用チューナ部６−１が設けられている。この携帯用チューナ部６−１は、携帯用アンテナＡ−６を通して受信された地上波ディジタル放送の複数のチャネルの中から特定のチャネルの電波を選択的に取り出すチャネル選局処理部と、当該チャネルの電波を中間周波信号に変換するための周波数変換部とを含む。
【００６７】
さらに、図２の携帯用ディジタル放送受信端末６においては、携帯用チューナ部６−１にて受信された受信信号Ｓｒｐを復調して目的とする情報を取り出すための復調回路からなる携帯用復調部６−２が設けられている。この携帯用復調部６−２は、携帯用チューナ部６−１から出力されたディジタル形式の中間周波信号をＦＦＴ処理等により復調して音声信号や映像信号等を含む復調信号Ｓｄｐを生成する機能を有する。
【００６８】
さらに、図２の携帯用ディジタル放送受信端末６においては、携帯用復調部６−２にて生成された復調信号Ｓｄｐのデコード処理を行う携帯用ＴＳデコーダ６−３が設けられている。この携帯用ＴＳデコーダ６−３に入力された復調信号Ｓｄｐは、デコード処理がなされた後に、ＭＰＥＧ−４システム規格のＴＳパケットの形式でデータストリームとして出力される。上記の復調信号Ｓｄｐには、ＯＦＤＭ方式の直交変調信号の伝送パラメータを示す制御信号であるＴＭＣＣが含まれている。携帯用ＴＳデコーダ６−３によりＴＭＣＣを復号することによって、データストリームの誤り訂正処理等が行われる。
【００６９】
この携帯用ＴＳデコーダ６−３から出力されたデータストリームは、音声用のデータストリームＳａｐおよび映像用のデータストリームＳｖｐを含む。これらの音声用のデータストリームＳａｐおよび映像用のデータストリームＳｖｐは、それぞれ、携帯用音声デコーダ６−４および携帯用映像デコーダ６−５によりデコード処理が行われ、目的とする音声Ａｄｐおよび映像Ｖｄｐを含む情報が取り出される。音声Ａｄｐは、最終的に、スピーカ等の携帯用音声出力部６−９から出力される。また一方で、映像Ｖｄｐは、最終的に、ディスプレイ等の携帯用表示部６−１０の画面上に表示される。
【００７０】
さらに、図２の携帯用ディジタル放送受信端末６においては、上記の携帯用チューナ部６−１、携帯用復調部６−２、携帯用ＴＳデコーダ６−３、携帯用音声デコーダ６−４および携帯用映像デコーダ６−５等の各構成要素の動作を統括的に制御する携帯用ＣＰＵ６−７が設けられている。この携帯用ＣＰＵ６−７は、携帯用バスラインＢ−６を介して携帯用チューナ部６−１、携帯用復調部６−２、携帯用ＴＳデコーダ６−３、携帯用音声デコーダ６−４および携帯用映像デコーダ６−５等に接続されており、制御信号Ｓｔｐを上記各構成要素に送出することによって上記各構成要素の動作を制御する。
【００７１】
さらに、図２の携帯用ディジタル放送受信端末６においては、地上波ディジタル放送の特定のチャネルを選択する際に必要なデータ、または関連するデータを入力するための操作スイッチ６−８ａが設けられている。この場合、携帯用ディジタル放送受信端末６は携帯用移動通信機器として使用しているので、前述のメイン側ディジタル放送受信端末のようにリモートコントローラを利用することはできない。ユーザが操作スイッチ６−８ａを操作することによって入力されたデータは、Ｉ／Ｏポート６−８ｂを介して携帯用ＣＰＵ６−７に転送される。
【００７２】
さらに、図２の携帯用ディジタル放送受信端末６においては、リモートコントローラ６−８ａから入力されたデータや受信したチャネル内の各種の情報等を格納するためのメモリであるＲＡＭ６−６ａおよびＲＯＭ６−６ｂが設けられている。なお、上記のメモリとして、携帯用ＣＰＵ６−７に内蔵のＲＡＭやＲＯＭ等を利用することもできる。
【００７３】
さらに、図２の実施例においては、メイン側ディジタル放送受信端末５に設けられた受信端末インタフェース４を介して、メイン側ディジタル放送受信端末５と携帯用ディジタル放送受信端末６とが着脱可能に接続されている。この受信端末インタフェース４は、メイン側ディジタル放送受信端末５と携帯用ディジタル放送受信端末６との間で、音声信号や映像信号や関連データ等を含む各種の信号Ｓｃｍを交換することによって相互通信を可能にする機能を有する。
【００７４】
さらに、図２の実施例においては、メイン側ディジタル放送受信端末５と携帯用ディジタル放送受信端末６との接続状態を監視する接続状態監視部３が、メイン側ディジタル放送受信端末５に設けられている。より具体的には、接続状態監視部３は、メイン側ディジタル放送受信端末５と携帯用ディジタル放送受信端末６とを接続するための複数の接続端子の中で、電源等に接続されている特定の接続端子の電圧レベルを監視することによって、上記２種のディジタル放送受信端末が実際に接続されているか否かを検知する。この接続状態監視部３による検知結果は、メイン側バスラインＢ−５を介してメイン側ＣＰＵ５−７に通知される。
【００７５】
なお、図２の実施例においては、受信端末インタフェース４および接続状態監視部３をメイン側ディジタル放送受信端末内に設けた例を示しているが、受信端末インタフェース４および接続状態監視部３を携帯用ディジタル放送受信端末内に設けた場合でも、同様の機能が実現される。
【００７６】
図２の第１の具体的な実施例によれば、メイン側ディジタル放送受信端末と携帯用ディジタル放送受信端末とを着脱可能に接続することによって２復調回路構成を実現することができるので、一つのチャネルの情報を受信している最中に他のチャネルのサービス等の情報を受信することが可能になる。さらに、上記の２復調回路構成を実現することによって、一つのチャネルで通常のサービスに関する情報を取得しながら、バックグランドで他の任意のチャネルの情報を検索して取得することが可能になる。
【００７７】
さらに、図２の第１の具体的な実施例によれば、携帯用ディジタル放送受信端末で受信されたチャネルの情報をメイン側ディジタル放送受信端末に切り替えてメイン側ディスプレイの大画面上に表示することができるので、受信チャネルの情報の大画面表示が可能になる。
【００７８】
さらに、図２の第１の具体的な実施例によれば、メイン側ディジタル放送受信端末によるチャネルの受信中に当該チャネルの受信が困難になったときに、ノイズに強い携帯用ディジタル放送受信端末の強階層の受信サービス方式に切り替えて当該チャネルを受信することができるので、最初にメイン側ディジタル放送受信端末にて受信されたチャネルの情報をシームレス方式で切り替えて途切れなく出力することが可能になる。
【００７９】
さらに、図２の第１の具体的な実施例によれば、メイン側ディジタル放送受信端末または携帯用ディジタル放送受信端末のいずれか一方で受信されたチャネルの情報を他方のディジタル放送受信端末で同時に表示することができるので、一つのチャネルの情報のサービスを受けると同時に、他の任意のチャネルのサービスに関する情報をディスプレイ等で見ることが可能になる。
【００８０】
さらに、図２の第１の具体的な実施例によれば、メイン側ディジタル放送受信端末または携帯用ディジタル放送受信端末のいずれか一方で作成された番組予約に関する情報を他方のディジタル放送受信端末に転送することによって、番組予約に関する情報を相互に交換することが可能になる。
【００８１】
ついで、図３〜図９を参照しながら、本発明の実施例において各種の処理を実行する場合のフローを順次説明する。ただし、図３〜図９では、図２の第１の具体的な実施例においてメイン側ディジタル放送受信端末のおよび携帯用ディジタル放送受信端末を動作させた場合のフローを例示する。さらに、図３〜図９では、「メイン側ディジタル放送受信端末」を「メイン側受信端末」と略記し、「携帯用ディジタル放送受信端末」を「携帯用受信端末」と略記する。
【００８２】
図３は、本発明の実施例において変更先チャネルの先読みオートプリセットを実行するフローを説明するためのフローチャートである。
【００８３】
ステップＳ１に示すように、携帯用ディジタル放送受信端末がメイン側ディジタル放送受信端末に接続されているか否かが、接続状態監視部によって常に監視されている。
【００８４】
携帯用ディジタル放送受信端末がメイン側ディジタル放送受信端末に接続されていることが検知された場合、携帯用ディジタル放送受信端末をサーチ用端末として利用し、携帯用ＣＰＵにより地上波ディジタル放送の全てのチャネルのサービス情報を検索する（ステップＳ２）。
【００８５】
さらに、携帯用ディジタル放送受信端末は、サービス情報の検索の結果として取得されたサービス情報をメイン側ディジタル放送受信端末に通知する（ステップＳ３）。
【００８６】
さらに、メイン側ディジタル放送受信端末は、上記のようにして取得されたサービス情報をメイン側ディジタル放送受信端末内のＲＡＭやＲＯＭ等のメモリにプリセットし、メイン側ディジタル放送受信端末での現在の受信チャネルを変更する際に、当該サービス情報をメモリから読み出すようにしている。換言すれば、メイン側ディジタル放送受信端末にて変更先チャネルの先読みオートプリセット（ＡＵＴＯ．Ｐ）機能が実行されることになる（ステップＳ４）。
【００８７】
携帯用ディジタル放送受信端末がメイン側ディジタル放送受信端末に接続されていないことが確認された場合は、上記のステップＳ２〜Ｓ４の処理を終了する（ステップＳ５）。
【００８８】
図４は、本発明の実施例においてＥＰＧ情報を取得するフローを説明するためのフローチャートである。
【００８９】
ステップＳ１１に示すように、携帯用ディジタル放送受信端末がメイン側ディジタル放送受信端末に接続されているか否かが、接続状態監視部によって常に監視されている。
【００９０】
携帯用ディジタル放送受信端末がメイン側ディジタル放送受信端末に接続されていることが検知された場合、携帯用ディジタル放送受信端末をサーチ用端末として利用し、携帯用ＣＰＵにより地上波ディジタル放送の全てのチャネルのＥＰＧ情報を検索する（ステップＳ１２）。このＥＰＧ情報には、番組の放送時刻や内容に関する情報が含まれており、ディスプレイの画面上で当該情報を容易に確認することができる。
【００９１】
さらに、携帯用ディジタル放送受信端末は、ＥＰＧ情報の検索の結果として取得されたサービス情報をメイン側ディジタル放送受信端末に通知する（ステップＳ１３）。
【００９２】
さらに、メイン側ディジタル放送受信端末は、上記のようにして取得されたＥＰＧ情報をメイン側ディジタル放送受信端末内のＲＡＭやＲＯＭ等のメモリに格納する（ステップＳ１４）。
【００９３】
携帯用ディジタル放送受信端末がメイン側ディジタル放送受信端末に接続されていないことが確認された場合は、上記のステップＳ１２〜Ｓ１４の処理を終了する（ステップＳ１５）。
【００９４】
図５は、本発明の実施例において他チャネルの緊急サービスに切り替えるフローを説明するためのフローチャートである。
【００９５】
ステップＳ２１に示すように、携帯用ディジタル放送受信端末がメイン側ディジタル放送受信端末に接続されているか否かが、接続状態監視部によって常に監視されている。
【００９６】
携帯用ディジタル放送受信端末がメイン側ディジタル放送受信端末に接続されていることが検知された場合、携帯用ディジタル放送受信端末をサーチ用端末として利用し、携帯用ＣＰＵにより地上波ディジタル放送の全てのチャネルの緊急警報を監視する（ステップＳ２２）。
【００９７】
携帯用ディジタル放送受信端末側で緊急警報がヒット（ＨＩＴ）した場合、すなわち、携帯用ＣＰＵにより緊急警報が検知された場合（ステップＳ２３）、検知された緊急警報をメイン側ディジタル放送受信端末にて選択し、メイン側ディジタル放送受信端末での現在の受信チャネルを当該緊急警報の緊急サービスに切り替える（ステップＳ２４）。
【００９８】
携帯用ディジタル放送受信端末がメイン側ディジタル放送受信端末に接続されていないことが確認された場合は、上記のステップＳ２２〜Ｓ２４の処理を終了する（ステップＳ２５）。
【００９９】
図６は、本発明の実施例において２つのディジタル放送受信端末のいずれか一方に切り替えて表示を行うフローを説明するためのフローチャートである。
【０１００】
ステップＳ３１に示すように、携帯用ディジタル放送受信端末がメイン側ディジタル放送受信端末に接続されているか否かが、接続状態監視部によって常に監視されている。
【０１０１】
携帯用ディジタル放送受信端末がメイン側ディジタル放送受信端末に接続されていることが検知された場合、携帯用ディジタル放送受信端末で受信されたチャネルのサービス情報（受信サービス）をメイン側ディジタル放送受信端末に切り替えて表示するか、または、メイン側ディジタル放送受信端末で受信されたチャネルのサービス情報（受信サービス）を携帯用ディジタル放送受信端末に切り替えて表示する（ステップＳ３２）。これによって、携帯用ディジタル放送受信端末で受信されたチャネルの情報をメイン側ディジタル放送受信端末に切り替えてメイン側ディスプレイの大画面上に表示することができるようになる。
【０１０２】
携帯用ディジタル放送受信端末がメイン側ディジタル放送受信端末に接続されていないことが確認された場合は、上記のステップＳ３１およびＳ３２の処理を終了する（ステップＳ３３）。
【０１０３】
図７は、本発明の実施例において携帯用ディジタル放送受信端末の強サービス（強階層の受信サービス）に切り替えるフローを説明するためのフローチャートである。
【０１０４】
ステップＳ４１に示すように、携帯用ディジタル放送受信端末がメイン側ディジタル放送受信端末に接続されているか否かが、接続状態監視部によって常に監視されている。
【０１０５】
携帯用ディジタル放送受信端末がメイン側ディジタル放送受信端末に接続されていることが検知された場合、メイン側ディジタル放送受信端末が、このメイン側ディジタル放送受信端末によるサイマル放送等のチャネルの受信中に画像がちらちらし始めて当該チャネルの受信が困難であると判断したときに（ステップＳ４２）、携帯用ディジタル放送受信端末で強階層の受信サービス方式を使用して受信しているか否かを確認する（ステップＳ４３）。
【０１０６】
携帯用ディジタル放送受信端末で強階層の受信サービス方式を使用していることが確認された場合（ステップＳ４３）、ノイズに強い携帯用ディジタル放送受信端末で強階層の受信サービス方式に切り替えて当該チャネルを受信し、携帯用ディジタル放送受信端末で受信され復調された当該チャネルの音声および／または映像（ＡＶ出力）をメイン側ディジタル放送受信端末に途切れなく出力する（ステップＳ４４）。これによって、最初にメイン側ディジタル放送受信端末にて受信されたチャネルの情報をシームレス方式で切り替えて途切れなく出力することができるようになる。
【０１０７】
ただし、携帯用ディジタル放送受信端末で強階層の受信サービス方式を使用していないことが確認された場合には（ステップＳ４３）、当該チャネルの音声および／または映像が一旦途切れた後に、メイン側ディジタル放送受信端末で強階層の受信サービス方式を選択してから当該チャネルを受信する（ステップＳ４５）。
【０１０８】
携帯用ディジタル放送受信端末がメイン側ディジタル放送受信端末に接続されていないことが確認された場合は、上記のステップＳ４２〜Ｓ４５の処理を終了する（ステップＳ４６）。
【０１０９】
図８は、本発明の実施例において２つのディジタル放送受信端末のいずれか一方の受信サービスを他方の受信端末でＰＩＮＰ（picture in picture）表示を行うフローを説明するためのフローチャートである。
【０１１０】
ステップＳ５１に示すように、携帯用ディジタル放送受信端末がメイン側ディジタル放送受信端末に接続されているか否かが、接続状態監視部によって常に監視されている。
【０１１１】
携帯用ディジタル放送受信端末がメイン側ディジタル放送受信端末に接続されていることが検知された場合、携帯用ディジタル放送受信端末にて受信されたチャネルの情報をメイン側ディジタル放送受信端末にて同時に表示する（すなわち、ＰＩＮＰ表示を行う）か、または、メイン側ディジタル放送受信端末にて受信されたチャネルの情報を携帯用ディジタル放送受信端末にて同時に表示する（ステップＳ５２）。これによって、メイン側ディジタル放送受信端末または携帯用ディジタル放送受信端末のいずれか一方のディスプレイを節減することができるようになる。
【０１１２】
携帯用ディジタル放送受信端末がメイン側ディジタル放送受信端末に接続されていないことが確認された場合は、上記のステップＳ５１およびＳ５２の処理を終了する（ステップＳ５３）。
【０１１３】
図９は、本発明の実施例において２つのディジタル放送受信端末のいずれか一方の番組予約情報を相互利用可能にするフローを説明するためのフローチャートである。
【０１１４】
ステップＳ６１に示すように、携帯用ディジタル放送受信端末がメイン側ディジタル放送受信端末に接続されているか否かが、接続状態監視部によって常に監視されている。
【０１１５】
携帯用ディジタル放送受信端末がメイン側ディジタル放送受信端末に接続されていることが検知された場合、携帯用ディジタル放送受信端末で作成された番組予約に関する情報をメイン側ディジタル放送受信端末で利用することが可能になり、または、メイン側ディジタル放送受信端末で作成された番組予約に関する情報を携帯用ディジタル放送受信端末で利用することが可能になる（ステップＳ６２）。これによって、メイン側ディジタル放送受信端末または携帯用ディジタル放送受信端末のいずれか一方で作成された番組予約に関する情報を他方のディジタル放送受信端末で相互に利用することができるようになる。
【０１１６】
携帯用ディジタル放送受信端末がメイン側ディジタル放送受信端末に接続されていないことが確認された場合は、上記のステップＳ６１およびＳ６２の処理を終了する（ステップＳ６３）。
【０１１７】
図１０は、本発明の第２の具体的な実施例の構成を示すブロック図である。ここでは、第１のディジタル放送受信端末として、一般の家庭で使用されるホーム用ディジタル放送受信端末７または移動体内で使用される車載用ディジタル放送受信端末８により構成され、第２のディジタル放送受信端末は、前述の図２の実施例と同様の携帯用ディジタル放送受信端末６により構成される。
【０１１８】
図１０の第２の具体的な実施例においては、携帯用ディジタル放送受信端末６をホーム用ディジタル放送受信端末７に着脱可能に接続するか、または、上記の携帯用ディジタル放送受信端末６を車載用ディジタル放送受信端末８に着脱可能に接続することができるようなディジタル放送受信装置７０の構成を簡略化して示す。
【０１１９】
図１０の実施例のホーム側ディジタル放送受信端末７においては、放送局から送信される地上波ディジタル放送の電波を、ホーム用アンテナＡ−７を通して選択的に受信するホーム用チューナ部７−１が設けられている。このホーム用チューナ部７−１は、ホーム用アンテナＡ−７を通して受信された地上波ディジタル放送の複数のチャネルの中から特定のチャネルの電波を選択的に取り出すチャネル選局処理部と、当該チャネルの電波を中間周波信号に変換するための周波数変換部とを含む。
【０１２０】
さらに、図１０のホーム用ディジタル放送受信端末７においては、ホーム用チューナ部７−１にて受信された受信信号Ｓｒｈを復調して目的とする情報を取り出すための復調回路からなるホーム用復調部７−２が設けられている。このホーム用復調部７−２は、ホーム用チューナ部７−１から出力されたディジタル形式の中間周波信号をＦＦＴ処理等により復調して音声信号や映像信号等を含む復調信号Ｓｄｈを生成する機能を有する。
【０１２１】
さらに、図１０のホーム用ディジタル放送受信端末７においては、ホーム用復調部７−２にて生成された復調信号Ｓｄｈのデコード処理を行うホーム用ＴＳデコーダ７−３が設けられている。このホーム用ＴＳデコーダ７−３に入力された復調信号Ｓｄｈは、デコード処理がなされた後に、ＭＰＥＧ−２システム規格のＴＳパケットの形式でデータストリームとして出力される。上記の復調信号Ｓｄｈには、ＯＦＤＭ方式の直交変調信号の伝送パラメータを示す制御信号であるＴＭＣＣが含まれている。ホーム用ＴＳデコーダ７−３によりＴＭＣＣを復号することによって、データストリームの誤り訂正処理等が行われる。
【０１２２】
このホーム用ＴＳデコーダ７−３から出力されたデータストリームは、音声用のデータストリームＳａｈおよび映像用のデータストリームＳｖｈを含む。これらの音声用のデータストリームＳａｈおよび映像用のデータストリームＳｖｈは、それぞれ、ホーム用音声デコーダ７−４およびホーム用映像デコーダ７−５によりデコード処理が行われ、目的とする音声Ａｄｈおよび映像Ｖｄｈを含む情報が取り出される。音声Ａｄｈは、最終的に、ホーム用スピーカ７−９から出力される。また一方で、映像Ｖｄｈは、最終的に、ホーム用ディスプレイ７−１０の画面上に表示される。
【０１２３】
さらに、図１０のホーム用ディジタル放送受信端末７においては、上記のホーム用チューナ部７−１、ホーム用復調部７−２、ホーム用ＴＳデコーダ７−３、ホーム用音声デコーダ７−４およびホーム用映像デコーダ７−５等の各部の動作を統括的に制御するホーム用ＣＰＵ７−７が設けられている。このホーム用ＣＰＵ７−７は、ホーム用バスラインＢ−７を介してホーム用チューナ部７−１、ホーム用復調部７−２、ホーム用ＴＳデコーダ７−３、ホーム用音声デコーダ７−４およびホーム用映像デコーダ７−５等に接続されており、制御信号Ｓｔｈを上記各構成要素に送出することによって上記各構成要素の動作を制御する。
【０１２４】
さらに、図１０のホーム用ディジタル放送受信端末７においては、地上波ディジタル放送の特定のチャネルを選択する際に必要なデータ、または関連するデータを入力するためのリモートコントローラ７−８ａが設けられている。ユーザがリモートコントローラ７−８ａを操作することによって入力されたデータは、Ｉ／Ｏポート７−８ｂを介してホーム用ＣＰＵ７−７に転送される。
【０１２５】
さらに、図１０のホーム用ディジタル放送受信端末７においては、リモートコントローラ７−８ａから入力されたデータや受信したチャネル内の各種の情報等を格納するためのメモリであるＲＡＭ７−６ａおよびＲＯＭ７−６ｂが設けられている。なお、上記のメモリとして、ホーム用ＣＰＵ７−７に内蔵のＲＡＭやＲＯＭ等を利用することもできる。
【０１２６】
また一方で、図１０の実施例の携帯用ディジタル放送受信端末６は、前述の図２の実施例にて既に説明しているので、ここでは再度の説明を省略する。
【０１２７】
さらに、図１０の実施例においては、ホーム用ディジタル放送受信端末７に設けられた受信端末インタフェース４−７を介して、ホーム用ディジタル放送受信端末７と携帯用ディジタル放送受信端末６とが着脱可能に接続されている。この受信端末インタフェース４−７は、ホーム用ディジタル放送受信端末７と携帯用ディジタル放送受信端末６との間で、音声信号や映像信号や関連データ等を含む各種の信号Ｓｃｈを交換することによって相互通信を可能にする機能を有する。
【０１２８】
さらに、図１０の実施例においては、ホーム用ディジタル放送受信端末７と携帯用ディジタル放送受信端末６との接続状態を監視する接続状態監視部３−７が、ホーム用ディジタル放送受信端末７に設けられている。より具体的には、接続状態監視部３−７は、ホーム用ディジタル放送受信端末７と携帯用ディジタル放送受信端末６とを接続するための複数の接続端子の中で、電源等に接続されている特定の接続端子の電圧レベルを監視することによって、上記２種のディジタル放送受信端末が実際に接続されているか否かを検知する。この接続状態監視部３−７による検知結果は、ホーム用バスラインＢ−７を介してホーム用ＣＰＵ７−７に通知される。
【０１２９】
なお、図１０の実施例においては、受信端末インタフェース４−７および接続状態監視部３−７をホーム用ディジタル放送受信端末内に設けた例を示しているが、受信端末インタフェース４−７および接続状態監視部３−７を携帯用ディジタル放送受信端末内に設けた場合でも、同様の機能が実現される。
【０１３０】
また一方で、図１０の実施例の車載用ディジタル放送受信端末８は、前述の車載用ディジタル放送受信端末７とほぼ同様の構成を有している。
【０１３１】
より詳しく説明すると、図１０の実施例の車載用ディジタル放送受信端末８においては、放送局から送信される地上波ディジタル放送の電波を、車載用アンテナＡ−８を通して選択的に受信する車載用チューナ部８−１が設けられている。この車載用チューナ部８−１は、車載用アンテナＡ−８を通して受信された地上波ディジタル放送の複数のチャネルの中から特定のチャネルの電波を選択的に取り出すチャネル選局処理部と、当該チャネルの電波を中間周波信号に変換するための周波数変換部とを含む。
【０１３２】
さらに、図１０の車載用ディジタル放送受信端末８においては、車載用チューナ部８−１にて受信された受信信号Ｓｒｃを復調して目的とする情報を取り出すための復調回路からなる車載用復調部８−２が設けられている。この車載用復調部８−２は、車載用チューナ部８−１から出力されたディジタル形式の中間周波信号をＦＦＴ処理等により復調して音声信号や映像信号等を含む復調信号Ｓｄｃを生成する機能を有する。
【０１３３】
さらに、図１０のホーム用ディジタル放送受信端末８においては、ホーム用復調部８−２にて生成された復調信号Ｓｄｃのデコード処理を行う車載用ＴＳデコーダ８−３が設けられている。この車載用ＴＳデコーダ８−３に入力された復調信号Ｓｄｃは、デコード処理がなされた後に、ＭＰＥＧ−２システム規格のＴＳパケットの形式でデータストリームとして出力される。上記の復調信号Ｓｄｃには、ＯＦＤＭ方式の直交変調信号の伝送パラメータを示す制御信号であるＴＭＣＣが含まれている。車載用ＴＳデコーダ８−３によりＴＭＣＣを復号することによって、データストリームの誤り訂正処理等が行われる。
【０１３４】
この車載用ＴＳデコーダ８−３から出力されたデータストリームは、音声用のデータストリームＳａｃおよび映像用のデータストリームＳｖｃを含む。これらの音声用のデータストリームＳａｃおよび映像用のデータストリームＳｖｃは、それぞれ、車載用音声デコーダ８−４および車載用映像デコーダ８−５によりデコード処理が行われ、目的とする音声Ａｄｈおよび映像Ｖｄｃを含む情報が取り出される。音声Ａｄｃは、最終的に、車載用スピーカ８−９から出力される。また一方で、映像Ｖｄｃは、最終的に、車載用ディスプレイ８−１０の画面上に表示される。
【０１３５】
さらに、図１０の車載用ディジタル放送受信端末８においては、上記の車載用チューナ部８−１、車載用復調部８−２、車載用ＴＳデコーダ８−３、車載用音声デコーダ８−４および車載用映像デコーダ８−５等の各部の動作を統括的に制御する車載用ＣＰＵ８−７が設けられている。この車載用ＣＰＵ８−７は、車載用バスラインＢ−８を介して車載用チューナ部８−１、車載用復調部８−２、車載用ＴＳデコーダ８−３、車載用音声デコーダ８−４および車載用映像デコーダ８−５等に接続されており、制御信号Ｓｔｃを上記各構成要素に送出することによって上記各構成要素の動作を制御する。
【０１３６】
さらに、図１０の車載用ディジタル放送受信端末８においては、地上波ディジタル放送の特定のチャネルを選択する際に必要なデータ、または関連するデータを入力するためのリモートコントローラ８−８ａが設けられている。ユーザがリモートコントローラ８−８ａを操作することによって入力されたデータは、Ｉ／Ｏポート８−８ｂを介して車載用ＣＰＵ８−７に転送される。
【０１３７】
さらに、図１０の車載用ディジタル放送受信端末８においては、リモートコントローラ８−８ａから入力されたデータや受信したチャネル内の各種の情報等を格納するためのメモリであるＲＡＭ８−６ａおよびＲＯＭ８−６ｂが設けられている。なお、上記のメモリとして、車載用ＣＰＵ８−７に内蔵のＲＡＭやＲＯＭ等を利用することもできる。
【０１３８】
さらに、図１０の実施例においては、車載用ディジタル放送受信端末８に設けられた受信端末インタフェース４−８を介して、車載用ディジタル放送受信端末８と携帯用ディジタル放送受信端末６とが着脱可能に接続されている。この受信端末インタフェース４−８は、車載用ディジタル放送受信端末８と携帯用ディジタル放送受信端末６との間で、音声信号や映像信号や関連データ等を含む各種の信号Ｓｃｃを交換することによって相互通信を可能にする機能を有する。
【０１３９】
さらに、図１０の実施例においては、車載用ディジタル放送受信端末８と携帯用ディジタル放送受信端末６との接続状態を監視する接続状態監視部３−８が、車載用ディジタル放送受信端末８に設けられている。より具体的には、接続状態監視部３−８は、車載用ディジタル放送受信端末８と携帯用ディジタル放送受信端末６とを接続するための複数の接続端子の中で、電源等に接続されている特定の接続端子の電圧レベルを監視することによって、上記２種のディジタル放送受信端末が実際に接続されているか否かを検知する。この接続状態監視部３−８による検知結果は、車載用バスラインＢ−８を介して車載用ＣＰＵ８−７に通知される。
【０１４０】
なお、図１０の実施例においては、受信端末インタフェース４−８および接続状態監視部３−８を車載用ディジタル放送受信端末内に設けた例を示しているが、受信端末インタフェース４−８および接続状態監視部３−８を携帯用ディジタル放送受信端末内に設けた場合でも、同様の機能が実現される。上記の受信端末インタフェース４−８および接続状態監視部３−８や、前述の受信端末インタフェース４−７および接続状態監視部３−７を携帯用ディジタル放送受信端末内に設けることによって、共用の受信端末インタフェースおよび接続状態監視部を携帯用ディジタル放送受信端末内に設けることができる。これによって、受信端末インタフェースおよび接続状態監視部の節減が図れる。
【０１４１】
図１０の第２の具体的な実施例によれば、ホーム用ディジタル放送受信端末と携帯用ディジタル放送受信端末とを接続した状態で取得したチャネルのサービス情報や番組予約情報等を携帯用ディジタル放送受信端末内のメモリに一旦格納して、外部に持ち運ぶことができる。さらに、この携帯用ディジタル放送受信端末を車載用ディジタル放送受信端末に接続することによって、ホーム用ディジタル放送受信端末で受信されたチャネルのサービス情報や番組予約情報等を移動体内で利用することが容易に可能になる。
【０１４２】
さらに、図１０の第２の具体的な実施例によれば、携帯用ディジタル放送受信端末６を媒体として、ホーム用ディジタル放送受信端末と車載用ディジタル放送受信端末との間で任意のチャネルのサービス情報や番組予約情報等をやり取りすることが可能になる。
【０１４３】
図１１は、本発明の他の実施例の構成を示すブロック図である。ただし、ここでは、仕様や用途等が異なる２種のディジタル放送受信端末（例えば、第１のディジタル放送受信端末１および第２のディジタル放送受信端末２）が、並列関係で着脱可能に接続された状態で、ＯＦＤＭ方式を使用した地上波ディジタル放送を受信することができるようなディジタル放送受信装置８０の構成を簡略化して示す。
【０１４４】
図１１の実施例に係るディジタル放送受信装置８０においては、上記２種のディジタル放送受信端末として、第１のディジタル放送受信端末１と、第２のディジタル放送受信端末２とが設けられている。これらの第１のディジタル放送受信端末１および第２のディジタル放送受信端末２の構成は、接続状態監視部３および受信端末インタフェース４が第１のディジタル放送受信端末１に内蔵されていない点を除いて、前述の図１の第１および第２のディジタル放送受信端末１、２の構成と同じである。したがって、ここでは、第１および第２のディジタル放送受信端末１、２内の各々の構成要素に関する再度の説明を省略する。
【０１４５】
さらに、図１１の実施例に係るディジタル放送受信装置８０においては、上記の第１および第２のディジタル放送受信端末１、２の動作を統括的に制御する統合部９が設けられている。この統合部９には、第１のディジタル放送受信端末１および第２のディジタル放送受信端末２と接続するための接続部（図示していない）が設けられている。この接続部を介して、第１のディジタル放送受信端末１と第２のディジタル放送受信端末２とが互いに並列かつ着脱可能に接続される。なお、第２のディジタル放送受信端末だけを着脱自在（例えば、第１のディジタル放送受信端末は車載機として自動車に固定）とする構成も可能である。このような並列関係の接続形態によっても、前述の図１、図２および図１０の従属関係の接続形態と同様に、本発明の２復調回路構成が実現される。上記の統合部９はまた、第１のディジタル放送受信端末１および第２のディジタル放送受信端末２から出力される各種の信号Ｓｃを処理して音声信号や映像信号等の調整を行う機能も有する。
【０１４６】
好ましくは、図１１の第１のディジタル放送受信端末１、第２のディジタル放送受信端末２および統合部９は、それぞれ別個のユニットにより構成されている。
【０１４７】
図１１の実施例によれば、第１のディジタル放送受信端末と第２のディジタル放送受信端末とを並列かつ着脱可能に接続することによって２復調回路構成を実現することができるので、前述の実施例の場合と同様に、一つのチャネルの情報を受信している最中に他のチャネルのサービス等の情報を受信することが可能になる。さらに、上記の２復調回路構成を実現することによって、一つのチャネルで通常のサービスに関する情報を取得しながら、バックグランドで他の任意のチャネルの情報を検索して取得することが可能になる。
【０１４８】
さらに、図１１の実施例によれば、統合部により、第１のディジタル放送受信端末または第２のディジタル放送受信端末のいずれか一方で受信されたチャネルのサービス等に関する情報を他方のディジタル放送受信端末に転送することによって、当該チャネルのサービス等に関する情報を相互に交換することが可能になる。
【０１４９】
なお、図１１の実施例では、第１および第２のディジタル放送受信端末等の２種のディジタル放送受信端末を用いて２復調回路構成を実現しているが、３種以上のディジタル放送受信端末を用いて３復調回路以上の複数の復調回路構成を実現することも可能である。この場合でも、前述の図１１の実施例の場合と同様の効果が得られることはいうまでもない。
【産業上の利用可能性】
【０１５０】
本発明は、地上波ディジタル放送または衛星波ディジタル放送等のディジタル放送において、複数のチャネルのサービス情報や番組予約情報等を同時に取得する機能を備えたディジタル放送受信システムに適用することが可能である。特に、本発明は、ホーム用ディジタル放送受信端末または車載用ディジタル放送受信端末と携帯用ディジタル放送受信端末とを組み合せることによって上記の機能を実現することができるようなディジタル放送受信システムに適用される可能性が高い。
【図面の簡単な説明】
【０１５１】
【図１】本発明の基本的な実施例の構成を示すブロック図である。
【図２】本発明の第１の具体的な実施例の構成を示すブロック図である。
【図３】本発明の実施例において変更先チャネルの先読みオートプリセットを実行するフローを説明するためのフローチャートである。
【図４】本発明の実施例においてＥＰＧ情報を取得するフローを説明するためのフローチャートである。
【図５】本発明の実施例において他チャネルの緊急サービスに切り替えるフローを説明するためのフローチャートである。
【図６】本発明の実施例において２つのディジタル放送受信端末のいずれか一方に切り替えて表示を行うフローを説明するためのフローチャートである。
【図７】本発明の実施例において携帯用ディジタル放送受信端末の強サービスに切り替えるフローを説明するためのフローチャートである。
【図８】本発明の実施例において２つのディジタル放送受信端末のいずれか一方の受信サービスを他方の受信端末でＰＩＮＰ表示を行うフローを説明するためのフローチャートである。
【図９】本発明の実施例において２つのディジタル放送受信端末のいずれか一方の番組予約情報を相互利用可能にするフローを説明するためのフローチャートである。
【図１０】本発明の第２の具体的な実施例の構成を示すブロック図である。
【図１１】本発明の他の実施例の構成を示すブロック図である。
【符号の説明】
【０１５２】
１…第１のディジタル放送受信端末
１−１…第１のチューナ部
１−２…第１の復調部
１−３…第１のＴＳデコーダ
１−４…第１の音声デコーダ
１−５…第１の映像デコーダ
１−６…第１の記憶部
１−７…第１の制御部
１−８…第１の入力部
１−９…第１の音声出力部
１−１０…第１の表示部
２…第２のディジタル放送受信端末
２−１…第２のチューナ部
２−２…第２の復調部
２−３…第２のＴＳデコーダ
２−４…第２の音声デコーダ
２−５…第２の映像デコーダ
２−６…第２の記憶部
２−７…第２の制御部
２−８…第２の入力部
２−９…第２の音声出力部
２−１０…第２の表示部
３…接続状態監視部
３−７…接続状態監視部
３−８…接続状態監視部
４…受信端末インタフェース
４−７…受信端末インタフェース
４−８…受信端末インタフェース
５…メイン側ディジタル放送受信端末
５−１…メイン側チューナ部
５−２…メイン側復調部
５−３…メイン側ＴＳデコーダ
５−４…メイン側音声デコーダ
５−５…メイン側映像デコーダ
５−６ａ…ＲＡＭ
５−６ｂ…ＲＯＭ
５−７…メイン側ＣＰＵ
５−８ａ…リモートコントローラ
５−８ｂ…Ｉ／Ｏポート
５−９…メイン側スピーカ
５−１０…メイン側ディスプレイ
６…携帯用ディジタル放送受信端末
６−１…携帯用チューナ部
６−２…携帯用復調部
６−３…携帯用ＴＳデコーダ
６−４…携帯用音声デコーダ
６−５…携帯用映像デコーダ
６−６ａ…ＲＡＭ
６−６ｂ…ＲＯＭ
６−７…携帯用ＣＰＵ
６−８ａ…操作スイッチ
６−８ｂ…Ｉ／Ｏポート
６−９…携帯用スピーカ
６−１０…携帯用ディスプレイ
７…ホーム用ディジタル放送受信端末
７−１…ホーム用チューナ部
７−２…ホーム用復調部
７−３…ホーム用ＴＳデコーダ
７−４…ホーム用音声デコーダ
７−５…ホーム用映像デコーダ
７−６ａ…ＲＡＭ
７−６ｂ…ＲＯＭ
７−７…ホーム用ＣＰＵ
７−８ａ…リモートコントローラ
７−８ｂ…Ｉ／Ｏポート
７−９…ホーム用スピーカ
７−１０…ホーム用ディスプレイ
８…車載用ディジタル放送受信端末
８−１…車載用チューナ部
８−２…車載用復調部
８−３…車載用ＴＳデコーダ
８−４…車載用音声デコーダ
８−５…車載用映像デコーダ
８−６ａ…ＲＡＭ
８−６ｂ…ＲＯＭ
８−７…車載用ＣＰＵ
８−８ａ…操作スイッチ
８−８ｂ…Ｉ／Ｏポート
８−９…車載用スピーカ
８−１０…車載用ディスプレイ
９…統合部
１０…ディジタル放送受信装置
５０…ディジタル放送受信装置
７０…ディジタル放送受信装置
８０…ディジタル放送受信装置
【図１】
2005167915.tif 000003
【図２】
2005167915.tif 000004
【図３】
2005167915.tif 000005
【図４】
2005167915.tif 000006
【図５】
2005167915.tif 000007
【図６】
2005167915.tif 000008
【図７】
2005167915.tif 000009
【図８】
2005167915.tif 000010
【図９】
2005167915.tif 000011
【図１０】
2005167915.tif 000012
【図１１】
2005167915.tif 000013